(57)【要約】【課題】別部材を用いなくても容易に高さ調整できる枕を提供する。【解決手段】  枕は、第１袋体と第２袋体とを備える。第１袋体には粒状の第１充填物が充填され、第２袋体には第２充填物が充填される。第１及び第２袋体は上下方向に互いに重ねられる。第１及び第２袋体のそれぞれは、伸縮性素材の布地によって構成される。第１及び第２袋体の容積は互いに異なっており、第１袋体の容積が、第２袋体の容積よりも大きい。【選択図】図１
2018110642.tif 000002
【特許請求の範囲】
【請求項１】
粒状の第１充填物が充填された第１袋体と、
第２充填物が充填され、前記第１袋体と上下方向に重ねられた第２袋体と
を備え、
前記第１及び第２袋体のそれぞれは、伸縮性素材の布地によって構成され、
前記第１袋体の容積が、前記第２袋体の容積よりも大きい、
枕。
【請求項２】
前記第２袋体は、平面視における面積が前記第１袋体よりも小さく、且つ、平面視においてその全体が前記第１袋体と重なるように配置される、
請求項１に記載の枕。
【請求項３】
前記第１袋体は、その平面視中央部に、上下の前記布地をそれぞれ同一の方向に延びるように縫合した一対のキルティング部を前記同一の方向に交差する方向に対向して有する、
請求項１又は２に記載の枕。
【請求項４】
前記同一の方向は縦方向であり、前記交差する方向は横方向である、
請求項３に記載の枕。
【請求項５】
前記一対のキルティング部は、その縦方向中央部において幅が広く、縦方向端部において幅が小さい、前記第１充填物を保持する保持室を形成するように構成されている、
請求項４に記載の枕。
【請求項６】
前記第２袋体は、その平面視中央部に、上下の前記布地をそれぞれ同一の方向に延びるように縫合した一対のキルティング部を前記同一の方向に交差する方向に対向して有する、
請求項１乃至５の何れかに記載の枕。
【請求項７】
前記第１袋体は、下側の前記布地の上面に配置され、前記第１充填物の移動を抑制する移動抑制シートを有する、
請求項１乃至６の何れかに記載の枕。
【請求項８】
前記第２袋体は、下側の前記布地の上面に配置され、前記第２充填物の移動を抑制する移動抑制シートを有する、
請求項１乃至７の何れかに記載の枕。
【発明の詳細な説明】
【技術分野】
【０００１】
本発明は、高さ調整可能な枕に関する。
【背景技術】
【０００２】
使用者の体型又は好みに合わせて高さ調整が可能な枕がある。例えば特許文献１には、使用者の頭部を支持する芯材の下側に高さ調整プレートを着脱することで、高さ調整する枕が開示されている。
【先行技術文献】
【特許文献】
【０００３】
【特許文献１】特開２００７−８２７４６号公報
【発明の概要】
【発明が解決しようとする課題】
【０００４】
しかしながら、上述した特許文献１に開示された枕にあっては、使用者が高さ調整プレートを着脱するために枕カバーに高さ調整プレートを出し入れする必要があり、作業が煩雑であった。また、使用しない高さ調整プレートを保管する場所を必要とした。
【０００５】
本発明は斯かる事情に鑑みてなされたものであり、その主たる目的は、別部材を用いなくても容易に高さ調整できる枕を提供することにある。
【課題を解決するための手段】
【０００６】
上述した課題を解決するために、本発明の一の態様の枕は、粒状の第１充填物が充填された第１袋体と、第２充填物が充填され、前記第１袋体と上下方向に重ねられた第２袋体とを備え、前記第１及び第２袋体のそれぞれは、伸縮性素材の布地によって構成され、前記第１袋体の容積が、前記第２袋体の容積よりも大きい。
【０００７】
この態様において、前記第２袋体は、平面視における面積が前記第１袋体よりも小さく、且つ、平面視においてその全体が前記第１袋体と重なるように配置されてもよい。
【０００８】
上記態様において、前記第１袋体は、その平面視中央部に、上下の前記布地をそれぞれ同一の方向に延びるように縫合した一対のキルティング部を前記同一の方向に交差する方向に対向して有してもよい。
【０００９】
上記態様において、前記同一の方向は縦方向であり、前記交差する方向は横方向であってもよい。
【００１０】
上記態様において、前記一対のキルティング部は、その縦方向中央部において幅が広く、縦方向端部において幅が小さい、前記第１充填物を保持する保持室を形成するように構成されていてもよい。
【００１１】
上記態様において、前記第２袋体は、その平面視中央部に、上下の前記布地をそれぞれ同一の方向に延びるように縫合した一対のキルティング部を前記同一の方向に交差する方向に対向して有してもよい。
【００１２】
上記態様において、前記第１袋体は、下側の前記布地の上面に配置され、前記第１充填物の移動を抑制する移動抑制シートを有してもよい。
【００１３】
上記態様において、前記第２袋体は、下側の前記布地の上面に配置され、前記第２充填物の移動を抑制する移動抑制シートを有してもよい。
【発明の効果】
【００１４】
本発明に係る枕によれば、別部材を用いなくても容易にその高さを調整できる。
【図面の簡単な説明】
【００１５】
【図１】実施の形態に係る枕の構成を示す斜視図。
【図２】実施の形態に係る枕の構成を示す平面図。
【図３】実施の形態に係る枕の構成を示す右側面図。
【図４】実施の形態に係る枕の構成を示す正面図。
【図５】実施の形態に係る枕の構成を示す底面図。
【図６】図２に示すＡ−Ａ線における断面図。
【図７】図２に示すＢ−Ｂ線における断面図。
【図８】高さを高くする場合の枕内における第１充填物の移動を説明するための平面図。
【図９】高さを低くする場合の枕内における第１充填物の移動を説明するための平面図。
【図１０】使用中における枕内での第１充填物の移動を説明するための平面図。
【図１１】高さ調整部材を挿入した状態の枕を示す底面図。
【図１２】高さ調整部材を挿入した状態の枕を示す右側面図。
【図１３】高さ調整部材の他の構成例を示す斜視図。
【図１４】高さ調整部材の他の構成例を示す斜視図。
【発明を実施するための形態】
【００１６】
以下、本発明の好ましい実施の形態を、図面を参照しながら説明する。
【００１７】
図１は本実施の形態に係る枕の構成を示す斜視図である。なお、図１中において、矢印により方向を示している。仰臥した使用者の頭側の方向を「前方」、脚側の方向を「後方」、右手側の方向を「左方」、左手側の方向を「右方」とする。また、図２は本実施の形態に係る枕の構成を示す平面図であり、図３はその右側面図、図４はその正面図、図５はその底面図である。
【００１８】
枕１００は、第１袋体１０と、第２袋体２０とを備える（図１、図４、及び図５参照）。第１袋体１０は、平面視において概ね横長の長方形をなしている。また、第１袋体１０の下方に第２袋体２０が設けられており、第１及び第２袋体１０，２０は上下方向に層状に重ねられている。第２袋体２０は、平面視において概ね縦長の長方形であり、その縦方向長さは第１袋体１０の縦方向長さと同一とされ、その横方向長さは第１袋体１０の横方向長さよりも短い。つまり、第２袋体２０は、平面視における面積が第１袋体１０よりも小さい。かかる第２袋体２０の容積は、第１袋体１０の容積よりも小さい。また、第２袋体２０は、平面視においてその全体が第１袋体１０と重なるように配置される。具体的には、第２袋体２０は、第１袋体１０の横方向中央部分に重ねられている。
【００１９】
図６は、図２に示すＡ−Ａ線における断面図であり、図７は、Ｂ−Ｂ線における断面図である。第１袋体１０は布地３１を縫合して構成され、その内部に粒状の第１充填物３２１を収容している。第２袋体２０は布地３１を縫合して構成され、その内部に粒状の第２充填物３２２を収容している。布地３１は、例えばポリウレタン弾性繊維を含む伸縮性素材によって構成されている。第１及び第２充填物３２１，３２２のそれぞれは同一の形状、大きさ、及び材料によって構成されており、具体的には直径１ｍｍ〜０．１ｍｍ程度の球形の粒状物である。かかる第１及び第２充填物３２１，３２２は、ポリエチレン、ポリスチレン等のプラスチックによって構成される。なお、第１及び第２充填物３２１，３２２はこれに限られず、そば殻でもよく、プラスチック製のパイプ状の小片でもよい。また、第１及び第２充填物３２１，３２２が、形状、大きさ、及び材料の少なくとも１つが互いに異なる粒状物であってもよい。第１及び第２袋体１０，２０のそれぞれにおいて、上記のような第１及び第２充填物３２１，３２２は、布地３１に張力が生じつつ、第１及び第２袋体１０，２０が変形可能な程度に充填されている。
【００２０】
また、第１袋体１０の下側の布地３１の上面には、第１充填物３２１の移動を抑制する移動抑制シート３３が重ねられており、第２袋体２００の下側の布地３１の上面には、第２充填物３２２の移動を抑制する移動抑制シート３４が重ねられている。移動抑制シート３３，３４は、例えばポリエステル製であり、布地３１に比べて第１及び第２充填物３２１，３２２との間の摩擦が大きい。第１及び第２袋体１０，２０それぞれの内底面に、このような移動抑制シート３３，３４が設けられているため、第１及び第２袋体１０，２０それぞれの下部においては移動抑制シート３３，３４に接した第１及び第２充填物３２１，３２２の移動が抑制され、下部以外の部分においては第１及び第２充填物３２１，３２２の移動が抑制されない。つまり、第１及び第２袋体１０，２０それぞれの内部では、下側部分より上側部分の方が第１及び第２充填物３２１，３２２の移動が起こりやすい。
【００２１】
また、第１及び第２袋体１０，２０は、前後端のそれぞれにおいて互いに接続されており、前後端を除く縦方向中央部においては縫合等によって互いに固着されておらず、離反可能である（図６参照）。これにより、第１及び第２袋体１０，２０の間に他の物品又は腕等を挿入できる。
【００２２】
図２を参照する。第１袋体１０の平面視中央部には、上下の布地３１及び移動抑制シート３３が縫合された一対のキルティング部１１，１２が設けられている。キルティング部１１，１２のそれぞれは、前後方向（縦方向）に延びており、横方向に対向している。さらに詳細には、キルティング部１１は平面視において概ねＣ字状に湾曲しており、キルティング部１２は平面視において概ね左右反転したＣ字状に湾曲している。つまり、キルティング部１１，１２は、それぞれの凹部側が対向している。これにより、キルティング部１１，１２の間隔は、縦方向中央部において広く、前後端部において狭くなっている。かかるキルティング部１１，１２によって囲まれた内部の領域は、平面視において前後端が欠落した円形、長円形、又は楕円形をなしている。当該領域は、第１充填物３２１を保持する第１保持室１３とされる。
【００２３】
図５を参照する。第２袋体２０の平面視中央部には、上下の布地３１及び移動抑制シート３３が縫合された一対のキルティング部２１，２２が設けられている。キルティング部２１，２２のそれぞれは、前後方向（縦方向）に延びており、横方向に対向している。さらに詳細には、キルティング部２１は平面視において概ねＣ字状に湾曲しており、キルティング部２２は平面視において概ね左右反転したＣ字状に湾曲している。なお、図５に示す図は底面図であるため、キルティング部２１，２２の形状が左右反転している。キルティング部２１，２２は、それぞれの凹部側が対向しており、かかるキルティング部２１，２２によって囲まれた内部の領域は、平面視において前後端が欠落した円形、長円形、又は楕円形をなしている。当該領域は、第２充填物３２２を保持する第２保持室２３とされる。
【００２４】
第１及び第２保持室１３，２３は、互いにほぼ同一の大きさである。また、第１及び第２保持室１３，２３のそれぞれは、互いに上下に位置するよう配置されている。かかる第１及び第２保持室１３，２３は、それぞれの周囲の部分よりも容積が小さく、そのため第１及び第２保持室１３，２３の厚さ（高さ方向の長さ）は、周囲の部分の厚さよりも小さい。したがって、第１袋体１０の上面においては、第１保持室１３のある中央部がその周囲の部分よりも低くなり、凹状に窪んでいる。第１及び第２保持室１３，２３が設けられた平面視中央部は使用者の頭部が主に位置する部位であり、第１袋体１０の当該部位が窪んでいることで、使用者の頭部が自然に収まる。しかも、第２保持室２３が設けられた第２袋体２０の上面中央部も凹状に窪んでおり、使用者の頭部が第１保持室１３に載せられたときに、その重みによって第１袋体１０の平面視中央部が第２袋体２０の窪みに収まるように下垂する。このため、第１袋体１０の平面視中央部の窪みがさらに大きくなり、使用者の頭部の収まりがより一層向上する。このようにして、第１及び第２保持室１３，２３は使用者の頭部を支持する。
【００２５】
上述したように、一対のキルティング部１１，１２のそれぞれは縦方向に延びている。このため、キルティング部１１，１２は、第１充填物３２１の横方向への移動を阻害する。つまり、第１袋体１０の内部においては、キルティング部１１，１２が設けられていない前後端部においてのみ、横方向への第１充填物３２１の移動が可能である。このことは、第２袋体２０のキルティング部２１，２２についても同様である。
【００２６】
その一方で、一対のキルティング部１１，１２は横方向に離れており、その間隔は前後端において狭くなっている。一対のキルティング部２１，２２も同様にして横方向に互いに離れている。つまり、第１及び第２保持室１３，２３は前後端に開口部である連通孔１４，２４をそれぞれ有しており、連通孔１４，２４によって第１及び第２袋体１０，２０それぞれの他の部位と連通している（図２、図５、及び図６参照）。このように、第１及び第２保持室１３，２３のそれぞれは、前後端において絞り込まれるように形成され、縦方向中央部よりも連通孔１４，２４の方が幅（横方向の長さ）及び厚さにおいて小さい。したがって、第１及び第２保持室１３，２３のそれぞれは、連通孔１４，２４によって外部と連通しているため外部との間で縦方向への第１及び第２充填物３２１，３２２の移動が可能であるものの、上記のように連通孔１４，２４が狭いためそのような第１及び第２充填物３２１，３２２の移動は容易ではない。このため、使用者が第１及び第２袋体１０，２０を手で押すなどして、連通孔１４，２４を通じて第１及び第２充填物３２１，３２２を移動させれば、第１及び第２保持室１３，２３における高さ調整が可能である。その一方で、使用者の頭部によって第１及び第２保持室１３，２３が押し付けられても、連通孔１４，２４からはほとんど第１及び第２充填物３２１，３２２が流出せず、厚さが維持される。このように第１及び第２保持室１３，２３を設けることで、使用時における枕１００の高さの変化が抑制される。
【００２７】
枕１００において、容積が大きい第１袋体１０はその表面積が大きく、容積が小さい第２袋体２０はその表面積が小さい。このように表面積が大きい第１袋体１０は変形が容易であり、内部の第１充填物３２１が容易に移動する。これに対して、表面積が小さい第２袋体２０は変形しにくく、内部の第２充填物３２２の移動が容易でない。使用者は、枕１００の高さを調整する場合、第１袋体１０を手で押す等して変形させ、第１袋体１０の内部で第１充填物３２１を移動させる。図８は、高さを高くする場合の枕１００内における第１充填物３２１の移動を説明するための平面図であり、図９は、高さを低くする場合の枕１００内における第１充填物３２１の移動を説明するための平面図である。例えば、枕１００の横方向中央部分の高さを高くする場合、使用者が第１袋体１０の左右両側部分を手で押すなどして、図８に示すように横方向中央部分へ第１充填物３２１を移動させる。その一方で、第２袋体２０はほとんど変形せず、高さが維持される。
【００２８】
ここで、上記のようにキルティング部１１，１２が設けられているため、第１袋体１０の縦方向中央部分では第１充填物３２１の横方向への移動が阻害され、その前後端部においてのみ、第１充填物３２１の横方向への移動が許容される。第１袋体１０の縦方向中央部における左右両側部分から横方向中央部分へと移動された第１充填物３２１は、キルティング部１１，１２に沿って縦方向に移動方向を変え、前後端部へと移動する。よって、第１袋体１０の横方向中央部における前後端部、つまり、第１保持室１３の前後両側部分に第１充填物３２１が集められる。この結果、第１袋体１０の平面視における中央部分、つまり、第１保持室１３ではほとんど高さが変化せず、第１保持室１３の前後両側部分での高さが高くなる。第１袋体１０の横方向中央部は使用者の頭部が主に位置する部位であり、その前側端部は頭部の上側部分に位置し、その後側端部は頸椎に位置する。枕１００が使用されるときには、使用者の頭部の重量で第１袋体１０が頭部の形状に合わせて変形するため、使用者の頭部の下側部分が全体的に第１袋体１０に接すると共に、第１袋体１０の前側端部において頭部の上側部分が、後側端部において頸椎部分がそれぞれ確りと支持される。このように、第２袋体２０の高さはほとんど変化せず、第１袋体１０の横方向中央部における後端部の高さが高くなることから、枕１００による頸椎の支持位置が高くなる。
【００２９】
また、例えば、枕１００の横方向中央部分の高さを低くする場合、使用者が第１袋体１０の横方向中央部分を手で押すなどして、左右両側部分へ第１充填物３２１を移動させる（図９参照）。第１袋体１０の横方向中央部における前後両端部から左右両側へと第１充填物３２１が移動する。また、左右両側部分へ移動した第１充填物３２１の一部は、縦方向中央部へと移動する。かかる第１充填物３２１の移動により、第１保持室１３の前後両側部分では高さが低くなり、左右両側部分の高さが高くなる。また、キルティング部１１，１２が設けられた第１袋体１０の平面視における中央部分、つまり、第１保持室１３の内部では高さがほとんど変化しない。その一方で、第２袋体２０はほとんど変形せず、高さが維持される。このように、第１袋体１０の横方向中央部における後端部の高さが低くなる分だけ、枕１００による頸椎の支持位置が低くなる。
【００３０】
図１０は、使用中における枕１００内での第１充填物３２１の移動を説明するための平面図である。使用中においては、第１袋体１０の平面視中央部に使用者の後頭部が載る。このため、第１保持室１３に大きな荷重がかかり、第１保持室１３から第１充填物３２１の一部が移動しようとする。第１保持室１３の左右両側には縦方向に延びるキルティング部１１，１２が設けられているため、横方向への第１充填物３２１の移動は阻害される。したがって、第１充填物３２１は第１保持室１３から連通孔１４，２４を通じて前後両側へと移動する。この結果、第１袋体１０の横方向中央部における前後端部の高さが高くなる。一方、第２袋体２０においては、第１袋体１０を介するため荷重が分散され、第２保持室２３には第１保持室１３程大きな荷重が集中しない。このため、第２保持室２３からはほとんど第２充填物３２２が流出しない。上記のように第１保持室１０の後側部分の高さが高くなることで、当該部分が頸椎部分に当接し、その形状に合わせて変形する。このようにして、使用者の頸椎が適切に支持される。
【００３１】
また、使用中に頭部の位置が変化することで枕１００に与えられる荷重が変化しても、第２袋体２０がほとんど変形しないことから枕１００が沈み込みすぎず、頭部を支持するために必要な高さを維持できる。特に、頸椎が位置する枕１００の横方向中央部の後端部分においては、第１袋体１０のキルティング部１１，１２より後側の部分が左右両側部分から第１充填物３２１を集めやすく高さを確保しやすい。使用時には第１袋体１０のこの部分に頸椎が当たり、これによって当該部分が頸椎の形状に合わせて変形し、しかも上述のように第２袋体２０の高さの変化が少ないため、頸椎を適切に支持できる。
【００３２】
しかも、第１袋体１０の内底面には移動抑制シート３３が設けられているため（図６及び図７参照）、第１袋体１０の内部下側における第１充填物３２１の移動は抑制される。このため、第１充填物３２１が移動しすぎることがなく、使用者の頭部の重さによる第１袋体１０の過度な沈み込みを防止できる。その一方で、第１袋体１０の内部上側においては第１充填物３２１が移動しやすいため、頭部の形状に合わせて好適に変形する。第２袋体２０については、第１袋体１０と同様に移動抑制シート３４が設けられているため、内部下側における第２充填物３２２の移動が抑制される。これにより、第２袋体２０の変形が一層抑制される。
【００３３】
上述したように、第１及び第２袋体１０，２０は、前後端のそれぞれにおいて互いに接続され、縦方向中央部において互いに離反可能となっている。つまり、枕１００は、第１及び第２袋体１０，２０によって筒状に構成されている。本実施の形態に係る枕１００では、この第１及び第２袋体１０，２０の間に別部材である高さ調整部材を挿入することで、さらなる高さ調整を可能としている。図１１及び図１２は、高さ調整部材を挿入した状態の枕１００を示す底面図及び右側面図である。枕１００は、高さ調整部材５０をさらに備えている。高さ調整部材５０は、エラストマー又は軟質プラスチックを袋状に形成したものであり、その内部に空気が充填されている。かかる高さ調整部材５０を第１及び第２袋体１０，２０の間に挿入することで、枕１００の高さをさらに高くできる。また、高さ調整部材５０における空気の充填量を変更することにより、高さ調整部材５０による高さの増加レベルを変更できる。
【００３４】
また、高さ調整部材５０ではなく、第１及び第２袋体１０，２０の間の空間に使用者の手足を挿入することもできる。例えば、椅子に座ったまま机の上に頭を載せて寝るような場合に、第１及び第２袋体１０，２０の間に使用者の手を挿入することで、クッション性のよい枕１００を使用できる。また、第１及び第２袋体１０，２０の間に使用者の脚を挿入することで、仰臥姿勢において脚を高くするための所謂足枕として枕１００を使用することができる。
【００３５】
（その他の実施の形態）
上記の実施の形態においては、第１及び第２袋体１０，２０のそれぞれに第１及び第２保持室１３，２３を設ける構成について述べたが、これに限定されるものではない。第１及び第２袋体１０，２０の何れか一方にのみ保持室を設ける構成とすることもできるし、両方に保持室を設けない構成とすることもできる。また、第１及び第２保持室１３，２３の前後両端に連通孔１４，２４を設けたが、前後端の何れか一方にのみ連通孔を設けてもよいし、連通孔を一切設けず、第１及び第２保持室１３，２３を閉塞された空間としてもよい。
【００３６】
また、上記の実施の形態においては、キルティング部１１，１２及び２１，２２が縦方向に延び、横方向に対向する構成について述べたが、これに限定されるものではない。キルティング部１１，１２及び２１，２２が延びる方向は任意に設定できる。例えば、一対のキルティング部が横方向に延び、縦方向に対向するように構成してもよい。この場合、第１及び第２保持室１３，２３の左右両端に連通孔が設けられることになり、第１及び第２充填物３２１，３２２の縦方向への移動が阻害され、横方向への移動が許容される。また、第１袋体１０のキルティング部１１，１２及び第２袋体２０のキルティング部２１，２２のそれぞれが延びる方向を異ならせてもよい。例えば、第１袋体１０のキルティング部１１，１２を縦方向に延びるように構成し、第２袋体２０のキルティング部２１，２２を横方向に延びるように構成することもできる。
【００３７】
また、上記の実施の形態においては、第１及び第２保持室１３，２３の平面視における位置を同一とし、これらを重ねるように設ける構成について述べたが、これに限定されるものではない。第１及び第２保持室１３，２３の平面視において異なる位置に設けることもできる。例えば、第１保持室１３を第１袋体１０の平面視中央位置に設け、第２保持室２３を第１保持室１３の後方に設けることもできる。
【００３８】
また、上記の実施の形態においては、第１及び第２保持室１３，２３のそれぞれを、前後端が欠落した平面視円形、長円形、又は楕円形とする構成について述べたが、これに限定されるものではなく、第１及び第２充填物３２１，３２２を保持できれば、その形状は問わない。例えば、キルティング部を「く」字状及び左右反転した「く」字状とし、第１又は第２保持室を前後端が欠落した菱形状とすることもできるし、キルティング部を「コ」字状及び左右反転した「コ」字状とし、第１又は第２保持室を前後端それぞれにおける一部が欠落した矩形状とすることもできる。
【００３９】
また、上記の実施の形態においては、第１及び第２袋体１０，２０を筒状に接続し、その縦方向中央部において互いに離反可能な構成について述べたが、これに限定されるものではない。高さ調整部材５０を使用しないのであれば、第１及び第２袋体１０，２０の全体が離反できないようにこれらが互いに接続されていてもよい。例えば、第２袋体２０の全周が第１袋体１０に縫合された構成とすることもできる。
【００４０】
また、上記の実施の形態においては、高さ調整部材５０を、空気が充填された合成樹脂製の袋としたが、これ以外の構成とすることもできる。図１３及び図１４に、高さ調整部材の他の構成例を示す。図１３に示す高さ調整部材１５０は、直方体状をなしており、軟質ポリウレタンフォーム等の柔軟性の高い素材によって構成されている。他方、図１４に示す高さ調整部材２５０は、両端の球形部分２５１を円柱形の棒状部分２５２で連結したダンベル状をなしている。球形部分２５１は、第１及び第２袋体１０，２０の間に挿入可能な程度の大きさを有し、棒状部分２５２は、第２袋体２０の横方向長さと同程度の長さを有している。この高さ調整部材２５０は、第１及び第２袋体１０，２０と同様に、布地を縫合して構成され、その内部に粒状の充填物を収容する（図示せず）。高さ調整部材２５０を使用するときには、一方の球形部分２５１を第１及び第２袋体１０，２０の間の一方の開口から挿入し、他方の開口から外側へ引き出して、棒状部分２５２が第１及び第２袋体１０，２０の間に挟まれ、球形部分２５１が第２袋体２０の両側に位置する状態とする。このようにすることで、棒状部分２５２よりも直径が大きい球形部分２５１が第１及び第２袋体１０，２０の間に入り難く、使用中に高さ調整部材２５０が第１及び第２袋体１０，２０から外れることが防止される。
【００４１】
また、上記の実施の形態においては、第２充填物３２２を粒状物としたが、これに限定されるものではない。第２充填物が充填された状態の第２袋体２０の全体が柔軟性を有し、変形可能であれば、第２充填物を粒状物以外のものとしてもよい。例えば、第２充填物を第２袋体２０と同程度の大きさに成形されたウレタンフォームとし、１つの第２充填物を第２袋体２０に充填することもできるし、第２充填物をウレタンフォームの小片とし、複数の第２充填物を第２袋体２０に充填したり、第２充填物をウレタンフォームのシートとし、複数枚の第２充填物を重ねた状態で第２袋体２０に充填したりすることもできる。その他、ポリエチレン繊維が編み込まれたもの、軟質ウレタンフォーム、綿等によって第２充填物を構成することもできる。
【産業上の利用可能性】
【００４２】
本発明の枕は、高さ調整可能な枕として有用である。
【符号の説明】
【００４３】
１００  枕
１０  第１袋体
２０  第２袋体
３１  布地
３２１  第１充填物
３２２  第２充填物
３３，３４  移動抑制シート
１１，１２  キルティング部
１３  第１保持室
２１，２２  キルティング部
２３  第２保持室
１４，２４  連通孔
５０，１５０，２５０  調整部材
【図１】
2018110642.tif 000003
【図２】
2018110642.tif 000004
【図３】
2018110642.tif 000005
【図４】
2018110642.tif 000006
【図５】
2018110642.tif 000007
【図６】
2018110642.tif 000008
【図７】
2018110642.tif 000009
【図８】
2018110642.tif 000010
【図９】
2018110642.tif 000011
【図１０】
2018110642.tif 000012
【図１１】
2018110642.tif 000013
【図１２】
2018110642.tif 000014
【図１３】
2018110642.tif 000015
【図１４】
2018110642.tif 000016